(57)【要約】【課題】鋳型造型用金型の摩耗を予測する。【解決手段】下型のキャビティ面の形状データとブローノズルの位置データとに基いて、ブローノズル各々に対応するキャビティ面各部の面形状を判定し、この面形状の判定結果に基いて、鋳砂の衝突による該キャビティ面各部の摩耗指数を算出し、該摩耗指数が基準値以下であるか否かを判定し、その判定結果を表示する。【選択図】図５
2014144478.tif 000002
【特許請求の範囲】
【請求項１】
上型と下型とによって鋳型造型用のキャビティが形成され、上型の上方に貯留された鋳砂が加圧されて複数のブローノズルから下型のキャビティ面に向かって吐出される鋳型造型用金型において、上記鋳砂の衝突によって生ずる上記キャビティ面の摩耗の程度を予測するプログラムされたコンピュータによる鋳型造型用金型の摩耗予測方法であって、
データ格納手段に格納された上記キャビティ面の形状データと上記ブローノズルの位置データとに基いて、上記複数のブローノズル各々に対応するキャビティ面各部の面形状を判定するステップと、
上記キャビティ面各部の面形状の判定結果に基いて、当該ブローノズルから吐出される鋳砂の衝突による該キャビティ面各部の摩耗指数を予め設定され演算条件によって算出するステップと、
上記キャビティ面各部の上記摩耗指数が基準値以下であるか否かを判定するステップと、
上記判定結果を表示するステップとを備えていることを特徴とする鋳型造型用金型の摩耗予測方法。
【請求項２】
請求項１において、
上記衝突面の形状を判定するステップでは、上記キャビティ面を各ブローノズルが担当する充填領域毎に分割し、各分割面についてその面形状に基いて摩耗の生じ易さに関する形状指数と鋳砂による衝突エネルギー付加時間とをそれぞれ予め設定された判定条件によって判定し、
上記摩耗指数を算出するステップでは、上記データ格納手段に格納された各ブローノズルから吐出する鋳砂のキャビティ面に対する衝突速度と上記形状指数と上記衝突エネルギー付加時間とに基いて上記各分割面の摩耗指数を算出することを特徴とする鋳型造型用金型の摩耗予測方法。
【請求項３】
請求項２において、さらに、
上記キャビティに鋳砂を充填するための各ブローノズルからの鋳砂の吐出は所定時間に完了するという条件下に、各ブローノズルが担当する充填領域の体積とノズル孔径とに基いて上記衝突速度を算出して上記データ格納手段に格納するステップを備えていることを特徴とする鋳型造型用金型の摩耗予測方法。
【請求項４】
請求項２又は請求項３において、さらに、
上記摩耗指数が基準値を超える分割面があるとき、上記ブローノズルの設定に関して、予め摩耗係数と基準値との差の大きさ及び／又は面形状の種別に対応して設定された処理方式で、上記ブローノズルの位置の変更、ノズル孔径の拡大及びブローノズルの追加のうちの少なくとも一つの変更を行なうステップと、
上記ブローノズルの設定が変更された条件下で、上記キャビティ面の分割及び面形状の判定を行なうステップ、上記摩耗指数を算出するステップ、上記摩耗指数が基準値以下であるか否かを判定するステップ、及び上記判定結果を表示するステップを繰り返すステップとを備えていることを特徴とする鋳型造型用金型の摩耗予測方法。
【請求項５】
上型と下型とによって鋳型造型用のキャビティが形成され、上型の上方に貯留された鋳砂が加圧されて複数のブローノズルから下型のキャビティ面に向かって吐出される鋳型造型用金型において、上記鋳砂の衝突によって生ずる上記キャビティ面の摩耗の程度を予測する鋳型造型用金型の摩耗予測装置であって、
上記キャビティ面の形状データと、上記ブローノズルの位置データとを格納するデータ格納手段と、
上記データ格納手段の上記形状データと上記位置データとに基いて、上記複数のブローノズル各々に対応するキャビティ面各部の面形状を判定する判定手段と、
上記判定手段によるキャビティ面各部の面形状の判定結果に基いて、当該ブローノズルから吐出される鋳砂の衝突による該キャビティ面各部の摩耗指数を予め設定され演算条件によって算出する演算手段と、
上記キャビティ面各部の上記摩耗指数が基準値以下であるか否かを判定する判定手段と、
上記判定結果を表示する表示手段とを備えていることを特徴とする鋳型造型用金型の摩耗予測装置。
【請求項６】
請求項５において、
上記データ格納手段には各ブローノズルから吐出する鋳砂のキャビティ面に対する衝突速度が格納されていて、
上記キャビティ面各部の面形状を判定する判定手段は、上記キャビティ面を各ブローノズルが担当する充填領域毎に分割し、各分割面についてその面形状に基いて摩耗の生じ易さに関する形状指数と鋳砂による衝突エネルギー付加時間とをそれぞれ予め設定された判定条件によって判定し、
上記演算手段は、上記各分割面について上記鋳砂の衝突速度と上記形状指数と上記衝突エネルギー付加時間とに基いて摩耗指数を算出することを特徴とする鋳型造型用金型の摩耗予測装置。
【請求項７】
請求項５において、さらに、
上記キャビティに鋳砂を充填するための各ブローノズルからの鋳砂の吐出は所定時間に完了するという条件下に、各ブローノズルが担当する充填領域の体積とノズル孔径とに基いて上記衝突速度を算出して上記データ格納手段に格納する手段を備えていることを特徴とする鋳型造型用金型の摩耗予測装置。
【請求項８】
請求項６又は請求項７において、さらに、
上記摩耗指数が基準値を超える分割面があるとき、上記ブローノズルの設定に関して、予め摩耗係数と基準値との差の大きさ及び／又は面形状の種別に対応して設定された処理方式で、上記ブローノズルの位置の変更、ノズル孔径の拡大及びブローノズルの追加のうちの少なくとも一つの変更を行なう手段と、
上記ブローノズルの設定が変更された条件下で、上記キャビティ面の分割及び面形状の判定、上記摩耗指数の算出、上記摩耗指数が基準値以下であるか否かの判定、並びに上記判定結果の表示を繰り返す手段とを備えていることを特徴とする鋳型造型用金型の摩耗予測装置。
【請求項９】
上型と下型とによって鋳型造型用のキャビティが形成され、上型の上方に貯留された鋳砂が加圧されて複数のブローノズルから下型のキャビティ面に向かって吐出される鋳型造型用金型において、上記鋳砂の衝突によって生ずる上記キャビティ面の摩耗の程度を予測するために、コンピュータを、
上記キャビティ面の形状データと、上記ブローノズルの位置データとを格納するデータ格納手段、
上記データ格納手段の上記形状データと上記位置データとに基いて、上記複数のブローノズル各々に対応するキャビティ面各部の面形状を判定する判定手段、
上記判定手段によるキャビティ面各部の面形状の判定結果に基いて、当該ブローノズルから吐出される鋳砂の衝突による該キャビティ面各部の摩耗指数を予め設定され演算条件によって算出する演算手段、
上記キャビティ面各部の上記摩耗指数が基準値以下であるか否かを判定する判定手段、及び
上記判定結果を表示するための出力手段、
として機能させるための鋳型造型用金型の摩耗予測プログラム。
【請求項１０】
請求項９において、
さらに、上記コンピュータを、各ブローノズルから吐出する鋳砂のキャビティ面に対する衝突速度を格納する格納手段として機能させ、
上記キャビティ面各部の面形状を判定する判定手段は、上記キャビティ面を各ブローノズルが担当する充填領域毎に分割し、各分割面についてその面形状に基いて摩耗の生じ易さに関する形状指数と鋳砂による衝突エネルギー付加時間とをそれぞれ予め設定された判定条件によって判定し、
上記演算手段は、上記各分割面について上記鋳砂の衝突速度と上記形状指数と上記衝突エネルギー付加時間とに基いて摩耗指数を算出することを特徴とする鋳型造型用金型の摩耗予測プログラム。
【請求項１１】
請求項１０において、さらに、上記コンピュータを、
上記キャビティに鋳砂を充填するための各ブローノズルからの鋳砂の吐出は所定時間に完了するという条件下に、各ブローノズルが担当する充填領域の体積とノズル孔径とに基いて上記衝突速度を算出して上記データ格納手段に格納する手段として機能させることを特徴とする鋳型造型用金型の摩耗予測プログラム。
【請求項１２】
請求項１０又は請求項１１において、上記コンピュータを、さらに、
上記摩耗指数が基準値を超える分割面があるとき、上記ブローノズルの設定に関して、予め摩耗係数と基準値との差の大きさ及び／又は面形状の種別に対応して設定された処理方式で、上記ブローノズルの位置の変更、ノズル孔径の拡大及びブローノズルの追加のうちの少なくとも一つの変更を行なう手段、及び
上記ブローノズルの設定が変更された条件下で、上記キャビティ面の分割及び面形状の判定を行なうステップ、上記摩耗指数を算出するステップ、上記摩耗指数が基準値以下であるか否かを判定するステップ、及び上記判定結果を表示するステップを繰り返す手段として機能させることを特徴とする鋳型造型用金型の摩耗予測プログラム。
【発明の詳細な説明】
【技術分野】
【０００１】
本発明は、鋳型造型用金型の摩耗予測方法、摩耗予測装置及び摩耗予測プログラムに関する。
【背景技術】
【０００２】
中子等の鋳型の造型は、上型と下型とで形成されるキャビティに鋳砂を充填することにより行なわれる。鋳砂は上型の上方に貯留され、その鋳砂が加圧されて複数のブローノズルから下型のキャビティ面に向かって吹き込まれる。
【０００３】
ところで、近年はキャビティに対する鋳砂充填の高速化が図られている。例えば、エンジンのシリンダヘッドには、ウォータジャケット、オイルジャケット、吸気ポート、排気ポートなど様々な複雑形状の空間部が形成される。そのため、それらの空間部を形成する各種の中子が必要になる。また、エンジン排気容量に対応して複数種のシリンダヘッドを製造する場合、排気量に応じた各中子が必要になる。そして、生産性向上のためには、下型セット、上型セット、鋳砂充填、鋳砂固化、上型取外し、鋳型離型等の一連のサイクルタイムを短くしなければならない。そのような背景から、キャビティへの鋳砂の充填時間を短くすべく、鋳砂がブローノズルからキャビティ内へ高速で吹き込まれるようになっている。
【０００４】
このような状況下では、鋳砂の充填状態の良否把握が必要であり、特許文献１には、造型プロセス、砂性状等の条件を入力した後、砂粒子が停止するまで空隙率解析工程、接触力解析工程、流体抗力解析工程、加速度算出工程及び運動方程式解析工程を繰り返すようにした生型造型の充填不良の予測方法が記載されている。また別に、特許文献２には、製品の形状に起因する変形を考慮して鋳型造型用金型の設計を支援する方法、装置等が記載されている。
【先行技術文献】
【特許文献】
【０００５】
【特許文献１】特開平１０−２０２３４４号公報
【特許文献２】特開平１１−２１３０２８号公報
【発明の概要】
【発明が解決しようとする課題】
【０００６】
ところで、上述の如く鋳砂がキャビティに高速で吹き込まれると、下型のキャビティ面が鋳砂の衝突によって摩耗しやすくなる。本発明者の検討によれば、そのキャビティ面の摩耗は一様に生ずるのではなく、摩耗が局部的に大きく進行する部分があることがわかった。そのような局部的な摩耗のために、金型の寿命が短くなる。
【０００７】
そこで、本発明は、金型の局部的摩耗を未然に防ぐ対策をとることができるように、すなわち、金型の長寿命化を図ることができるように、キャビティ面各部に発生する摩耗の程度を予測できるようにする。
【課題を解決するための手段】
【０００８】
本発明は、キャビティ面の形状如何で摩耗の程度が異なる点に着目して、キャビティ面各部の各摩耗の程度を予測するようにした。
【０００９】
ここに提示するプログラムされたコンピュータによる鋳型造型用金型の摩耗予測方法は、上型と下型とによって鋳型造型用のキャビティが形成され、上型の上方に貯留された鋳砂が加圧されて複数のブローノズルから下型のキャビティ面に向かって吐出される鋳型造型用金型において、上記鋳砂の衝突によって生ずる上記キャビティ面の摩耗の程度を予測する方法であって、
データ格納手段に格納された上記キャビティ面の形状データと上記ブローノズルの位置データとに基いて、上記複数のブローノズル各々に対応するキャビティ面各部の面形状を判定するステップと、
上記キャビティ面各部の面形状の判定結果に基いて、当該ブローノズルから吐出される鋳砂の衝突による該キャビティ面各部の摩耗指数を予め設定され演算条件によって算出するステップと、
上記キャビティ面各部の上記摩耗指数が基準値以下であるか否かを判定するステップと、
上記判定結果を表示するステップとを備えていることを特徴とする。
【００１０】
すなわち、ブローノズルに対応するキャビティ面は、その形状が鋳砂の衝突方向に対して垂直になった平面であるか、鋳砂の衝突方向に対して傾斜した斜面であるか、或いはエッジ形状であるか等によって摩耗のしやすさが異なる。これに対して、上記摩耗予測方法によれば、キャビティ面各部の面形状に基いて摩耗指数を算出するから、摩耗の程度に関して信頼度の高い予測データを得ることができる。
【００１１】
上記摩耗予測方法の好ましい態様は、上記キャビティ面各部の面形状を判定するステップでは、上記キャビティ面を各ブローノズルが担当する充填領域毎に分割し、各分割面についてその面形状に基いて摩耗の生じ易さに関する形状指数と鋳砂による衝突エネルギー付加時間とをそれぞれ予め設定された判定条件によって判定し、
上記摩耗指数を算出するステップでは、上記データ格納手段に格納された各ブローノズルから吐出する鋳砂のキャビティ面に対する衝突速度と上記形状指数と上記衝突エネルギー付加時間とに基いて上記各分割面の摩耗指数を算出することを特徴とする。
【００１２】
当該態様によれば、鋳砂の衝突速度と上記形状指数と上記衝突エネルギー付加時間とに基いて上記キャビティ面各部の摩耗指数を算出するから、キャビティ面各部の摩耗の程度を精度良く予測することができる。
【００１３】
上記衝突速度については、全てのブローノズルから吐出する鋳砂が同じ速度でキャビティ面各部に衝突するとして予め上記データ格納手段に格納しておくこともできる。しかし、上記摩耗予測方法のさらに好ましい態様は、上記キャビティに鋳砂を充填するための各ブローノズルからの鋳砂の吐出は所定時間に完了するという条件下に、各ブローノズルが担当する充填領域の体積とノズル孔径とに基いて上記衝突速度を算出して上記データ格納手段に格納するステップを備えていることを特徴とする。
【００１４】
上記摩耗予測方法のさらに好ましい態様は、上記摩耗指数が基準値を超える分割面があるとき、上記ブローノズルの設定に関して、予め摩耗係数と基準値との差の大きさ及び／又は面形状の種別に対応して設定された処理方式で、上記ブローノズルの位置の変更、ノズル孔径の拡大及びブローノズルの追加のうちの少なくとも一つの変更を行なうステップと、
上記ブローノズルの設定が変更された条件下で、上記キャビティ面の分割及び面形状の判定を行なうステップ、上記摩耗指数を算出するステップ、上記摩耗指数が基準値以下であるか否かを判定するステップ、及び上記判定結果を表示するステップを繰り返すステップとを備えていることを特徴とする。
【００１５】
ここに、面形状の種別とは、例えば、エッジを有する面形状であるか、斜面形状であるかという類の種別である。ブローノズルの位置の変更によって上記形状指数を小さくすることが可能になり、或いは衝突エネルギーの付加時間を短くすることが可能になる。上記ノズル孔径の拡大又はブローノズルの追加によって鋳砂の衝突速度を低下させることが可能になる。
【００１６】
そうして、当該態様によれば、摩耗指数が基準値を超える分割面があるとき、その部分の面形状に応じてブローノズルの位置及び／又は鋳砂の衝突速度を変更し、その変更された条件で摩耗指数を再度算出するから、キャビティ面が局部的に摩耗することを防止し、金型の長寿命化を図る上で有利になる。
【００１７】
ここに提示する鋳型造型用金型の摩耗予測装置は、上型と下型とによって鋳型造型用のキャビティが形成され、上型の上方に貯留された鋳砂が加圧されて複数のブローノズルから下型のキャビティ面に向かって吐出される鋳型造型用金型において、上記鋳砂の衝突によって生ずる上記キャビティ面の摩耗の程度を予測する装置であって、
上記キャビティ面の形状データと、上記ブローノズルの位置データとを格納するデータ格納手段と、
上記データ格納手段の上記形状データと上記位置データとに基いて、上記複数のブローノズル各々に対応するキャビティ面各部の面形状を判定する判定手段と、
上記判定手段によるキャビティ面各部の面形状の判定結果に基いて、当該ブローノズルから吐出される鋳砂の衝突による該キャビティ面各部の摩耗指数を予め設定され演算条件によって算出する演算手段と、
上記キャビティ面各部の上記摩耗指数が基準値以下であるか否かを判定する判定手段と、
上記判定結果を表示する表示手段とを備えていることを特徴とする。
【００１８】
上記摩耗予測装置によれば、キャビティ面各部の面形状に基いて摩耗指数を算出するから、摩耗の程度に関して信頼度の高い予測データを得ることができる。
【００１９】
上記摩耗予測装置の好ましい態様は、上記データ格納手段には各ブローノズルから吐出する鋳砂のキャビティ面に対する衝突速度が格納されていて、
上記キャビティ面各部の面形状を判定する判定手段は、上記キャビティ面を各ブローノズルが担当する充填領域毎に分割し、各分割面についてその面形状に基いて摩耗の生じ易さに関する形状指数と鋳砂による衝突エネルギー付加時間とをそれぞれ予め設定された判定条件によって判定し、
上記演算手段は、上記各分割面について上記鋳砂の衝突速度と上記形状指数と上記衝突エネルギー付加時間とに基いて摩耗指数を算出することを特徴とする。
【００２０】
当該態様によれば、鋳砂の衝突速度と上記形状指数と上記鋳砂の衝突エネルギー付加時間とに基いて上記キャビティ面各部の摩耗指数を算出するから、キャビティ面各部の摩耗の程度を精度良く予測することができる。
【００２１】
上記衝突速度については、全てのブローノズルから吐出する鋳砂が同じ速度でキャビティ面各部に衝突するとして予め上記データ格納手段に格納しておくこともできる。しかし、上記摩耗予測装置のさらに好ましい態様は、上記キャビティに鋳砂を充填するための各ブローノズルからの鋳砂の吐出は所定時間に完了するという条件下に、各ブローノズルが担当する充填領域の体積とノズル孔径とに基いて上記衝突速度を算出して上記データ格納手段に格納する手段を備えていることを特徴とする。
【００２２】
上記摩耗予測装置のさらに好ましい態様は、上記摩耗指数が基準値を超える分割面があるとき、上記ブローノズルの設定に関して、予め摩耗係数と基準値との差の大きさ及び／又は面形状の種別に対応して設定された処理方式で、上記ブローノズルの位置の変更、ノズル孔径の拡大及びブローノズルの追加のうちの少なくとも一つの変更を行なう手段と、
上記ブローノズルの設定が変更された条件下で、上記キャビティ面の分割及び面形状の判定、上記摩耗指数の算出、上記摩耗指数が基準値以下であるか否かの判定、並びに上記判定結果の表示を繰り返す手段とを備えていることを特徴とする。
【００２３】
ここに、面形状の種別とは、例えば、エッジを有する面形状であるか、斜面形状であるかという類の種別である。ブローノズルの位置の変更によって上記形状指数を小さくすることが可能になり、或いは衝突エネルギーの付加時間を短くすることが可能になる。上記ノズル孔径の拡大又はブローノズルの追加によって鋳砂の衝突速度を低下させることが可能になる。
【００２４】
そうして、当該態様によれば、摩耗指数が基準値を超える分割面があるとき、その部分の面形状に応じてブローノズルの位置及び／又は鋳砂の衝突速度を変更し、その変更された条件で摩耗指数を再度算出するから、キャビティ面が局部的に摩耗することを防止し、金型の長寿命化を図る上で有利になる。
【００２５】
ここに提示する鋳型造型用金型の摩耗予測プログラムは、上型と下型とによって鋳型造型用のキャビティが形成され、上型の上方に貯留された鋳砂が加圧されて複数のブローノズルから下型のキャビティ面に向かって吐出される鋳型造型用金型において、上記鋳砂の衝突によって生ずる上記キャビティ面の摩耗の程度を予測するために、コンピュータを、
上記キャビティ面の形状データと、上記ブローノズルの位置データとを格納するデータ格納手段、
上記データ格納手段の上記形状データと上記位置データとに基いて、上記複数のブローノズル各々に対応するキャビティ面各部の面形状を判定する判定手段、
上記判定手段によるキャビティ面各部の面形状の判定結果に基いて、当該ブローノズルから吐出される鋳砂の衝突による該キャビティ面各部の摩耗指数を予め設定され演算条件によって算出する演算手段、
上記キャビティ面各部の上記摩耗指数が基準値以下であるか否かを判定する判定手段、及び
上記判定結果を表示するための出力手段、
として機能させることを特徴とする。
【００２６】
上記摩耗予測プログラムによれば、キャビティ面各部の面形状に基いて摩耗指数を算出するから、摩耗の程度に関して信頼度の高い予測データを得ることができる。
【００２７】
上記摩耗予測プログラムの好ましい態様は、上記コンピュータを、さらに各ブローノズルから吐出する鋳砂のキャビティ面に対する衝突速度を格納する格納手段として機能させ、
上記キャビティ面各部の面形状を判定する判定手段は、上記キャビティ面を各ブローノズルが担当する充填領域毎に分割し、各分割面についてその面形状に基いて摩耗の生じ易さに関する形状指数と鋳砂による衝突エネルギー付加時間とをそれぞれ予め設定された判定条件によって判定することを特徴とする。
【００２８】
当該態様によれば、鋳砂の衝突速度と上記形状指数と上記衝突エネルギー付加時間とに基いて上記各分割面の摩耗指数を算出するから、キャビティ面各部の摩耗の程度を精度良く予測することができる。
【００２９】
上記衝突速度については、全てのブローノズルから吐出する鋳砂が同じ速度でキャビティ面各部に衝突するとして予め上記データ格納手段に格納しておくこともできる。しかし、上記摩耗予測プログラムのさらに好ましい態様は、上記コンピュータを、さらに、
上記キャビティに鋳砂を充填するための各ブローノズルからの鋳砂の吐出は所定時間に完了するという条件下に、各ブローノズルが担当する充填領域の体積とノズル孔径とに基いて上記衝突速度を算出して上記データ格納手段に格納する手段として機能させることを特徴とする。
【００３０】
上記摩耗予測プログラムのさらに好ましい態様は、上記コンピュータを、さらに、
上記摩耗指数が基準値を超える分割面があるとき、上記ブローノズルの設定に関して、予め摩耗係数と基準値との差の大きさ及び／又は面形状の種別に対応して設定された処理方式で、上記ブローノズルの位置の変更、ノズル孔径の拡大及びブローノズルの追加のうちの少なくとも一つの変更を行なう手段、及び
上記ブローノズルの設定が変更された条件下で、上記キャビティ面の分割及び面形状の判定を行なうステップ、上記摩耗指数を算出するステップ、上記摩耗指数が基準値以下であるか否かを判定するステップ、及び上記判定結果を表示するステップを繰り返す手段として機能させることを特徴とする。
【００３１】
ここに、面形状の種別とは、例えば、エッジを有する面形状であるか、斜面形状であるかという類の種別である。ブローノズルの位置の変更によって上記形状指数を小さくすることが可能になり、或いは衝突エネルギーの付加時間を短くすることが可能になる。上記ノズル孔径の拡大又はブローノズルの追加によって鋳砂の衝突速度を低下させることが可能になる。
【００３２】
そうして、当該態様によれば、摩耗指数が基準値を超える分割面があるとき、その部分の面形状に応じてブローノズルの位置及び／又は鋳砂の衝突速度を変更し、その変更された条件で摩耗指数を再度算出するから、キャビティ面が局部的に摩耗することを防止し、金型の長寿命化を図る上で有利になる。
【発明の効果】
【００３３】
本発明によれば、下型のキャビティ面の形状データとブローノズルの位置データとに基いて、ブローノズル各々に対応するキャビティ面各部の面形状を判定し、この面形状の判定結果に基いて、鋳砂の衝突による該キャビティ面各部の摩耗指数を算出し、該摩耗指数が基準値以下であるか否かを判定し、その判定結果を表示するようにしたから、キャビティ面各部の摩耗の程度に関して信頼度の高い予測データを得ることができる。
【図面の簡単な説明】
【００３４】
【図１】鋳型造型装置の断面図である。
【図２】鋳型造型用金型の断面図である。
【図３】鋳型及び鋳造品の断面図である。
【図４】コンピュータのブロック構成図である。
【図５】コンピュータが実行する摩耗予測フローチャートである。
【図６】エッジ部を有する分割面に係る充填領域を模式的に示す断面図である。
【図７】下体積を破斜線で表した図６と同様の断面図である。
【図８】斜面を有する分割面に係る充填領域を模式的に示す断面図である。
【図９】鋳砂の衝突角度と摩耗量との関係を調べるテスト装置のモデル図である。
【図１０】衝突角度と摩耗量との関係を示すグラフ図である。
【図１１】ブローノズル位置を変更した図６と同様の断面図である。
【図１２】ブローノズル位置の変更量を大きくした図６と同様の断面図である。
【図１３】ブローノズルのノズル孔径を拡大した図８と同様の断面図である。
【図１４】変更前のブローノズル位置とキャビティ面の分割状態を示す平面図である。
【図１５】変更後のブローノズル位置とキャビティ面の分割状態を示す平面図である。
【図１６】鋳砂の速度についてのシミュレーション結果を示すグラフ図である。
【発明を実施するための形態】
【００３５】
以下、本発明を実施するための形態を図面に基づいて説明する。以下の好ましい実施形態の説明は、本質的に例示に過ぎず、本発明、その適用物或いはその用途を制限することを意図するものではない。
【００３６】
＜鋳型造型装置＞
図１に示す実施形態に係る鋳型造型装置１は、エンジンのシリンダヘッド用の鋳型や、該シリンダヘッドのウォータジャケット用の中子等を造型するコールドボックス鋳型造型装置である。この鋳型造型装置１は鋳型造型用金型２とガス硬化性の鋳砂３を貯留するブローヘッド４とを備えている。金型２は鋳型造型用のキャビティ５を形成する上型６及び下型７を備え、上型６の上方にブローヘッド４が配置されている。ブローヘッド４のブロープレート８に鋳砂３を吐出する複数のブローノズル９が設けられており、ブローノズル９は上型６のノズル挿入孔１１に差し込まれる。ブローヘッド４に貯留された鋳砂３は、加圧エアで加圧されてブローノズル９から下型７のキャビティ面１２に向かって吐出される。
【００３７】
図２に示すように、下型７のキャビティ面１２が鋳砂３の衝突によって局部的に摩耗すると（局部的摩耗部１３）、図３に示すように、得られる鋳型１４は局部的摩耗部１３に対応する部分に余分な肉が付き、得られる鋳造品１５に欠肉部１６を生ずる。図３において、符号１７は別に造型した鋳型である。
【００３８】
＜キャビティ面１２の摩耗の予測＞
以下、鋳砂３の衝突によって下型７のキャビティ面１２に発生する摩耗の程度を予測する手法を説明する。
【００３９】
図４は摩耗予測に使用可能なコンピュータのブロック構成図である。同図において、２１はＣＰＵ、２２は表示手段としてのＣＲＴ等のディスプレイ、２３はデータの入力手段であるキーボード、２４はブートプログラム等を記憶しているＲＯＭ、２５は各種データ及び処理結果を一時的に記憶するデータ格納手段としてのＲＡＭ、２６は摩耗予測を行なうためのプログラム等を記憶するＨＤＤ等の記憶装置、２７は外部の情報システムと通信ネットワークを介して通信するための通信インタフェース、２８は処理結果等を印刷するプリンタである。これらの各構成は、バス２９を介して接続されており、ＣＰＵ２１は記憶装置２６に記憶したプログラムに従って、下型７のキャビティ面各部に発生する摩耗の程度を予測する。
【００４０】
[摩耗予測の考え方]
キャビティ面各部の摩耗の程度を予測するために摩耗指数を導入する。
【００４１】
各ブローノズル９から吐出される鋳砂３がキャビティ面１２に衝突して生ずる摩耗量の大小には、３つの因子、(i) 鋳砂３がキャビティ面１２に与える衝突エネルギー、(ii) 衝突エネルギーが付加される時間、及び(iii) 鋳砂３が衝突する面の形状、が寄与すると考えられる。
【００４２】
(i)の衝突エネルギーには、鋳砂３の運動エネルギーと深く関わっていると考えられることから、衝突エネルギー∝(鋳砂の衝突速度)２ 、とおくことができる。(ii)の衝突エネルギーが付加される時間の算出については後述する。(iii)の鋳砂衝突面の形状について説明すると、金属面に鋳砂３が衝突して生ずる摩耗に関しては、その衝突角度によって変化することが知られている。複数の摩耗モードが複合的に生じている摩耗においては、衝突角度が変わると、支配的な摩耗モードが変化するためである。また、図１に示すように、鋳砂衝突面にエッジが含まれている場合はそのエッジ部分の摩耗が甚だしくなる。そこで、鋳砂衝突面の形状に関する形状指数を導入する。
【００４３】
以上に基いて次に示す摩耗指数を導入する。
【００４４】
摩耗指数＝(鋳砂の衝突速度)２×(衝突エネルギー付加時間)×(形状指数)
そうして、キャビティ面各部の摩耗指数を算出し、摩耗指数が基準値以下であるか否かを判定して、その判定結果を表示する。また、摩耗指数が基準値を超えるときは、必要に応じて、所定の処理方式でブローノズル９の位置の変更、ブローノズル９のノズル孔径の拡大、及びブローノズル９の追加のうちの少なくとも一つの変更を行なって摩耗を予測するという手順を繰り返す。
【００４５】
以上から明らかなように、上記摩耗の予測手法では、下型７のキャビティ面１２の形状に関するデータ、ブローノズル９の配置に関するデータ、並びに鋳砂３の衝突速度はブローノズル９の孔径で変わるから、その孔径に関するデータが必要になる。さらに、衝突エネルギー付加時間等を算出するために、ブローヘッド４に貯留された鋳砂３の加圧時間（キャビティ５に対する鋳砂３の充填開始から充填終了までの時間）に関するデータが必要になる。これらデータはキーボード２３によって入力し或いは外部情報システムから取り込んでデータ格納手段としてのＲＡＭ２５に記憶格納する。
【００４６】
図５はキャビティ面各部の摩耗の程度を予測するために、コンピュータが実行するフローチャートを示す。
【００４７】
ステップＳ１において、ＲＡＭ２５に格納されたデータを読み込み、下型７のキャビティ面１２の形状に対するブローノズル９の位置関係及びノズル孔径の設定を行なう。ステップＳ２において、各ブローノズル９の担当領域毎にキャビティ面１２を予め設定された処理方式で分割する。ステップＳ３において、各ブローノズル９毎にキャビティ分割面に対する鋳砂３の衝突速度を予め設定された演算条件で算出する。ステップＳ４において、各ブローノズル９毎に衝突エネルギーの付加時間を予め設定された演算条件で算出する。ステップＳ５において、各ブローノズル９毎に鋳砂３が衝突するキャビティ分割面の形状指数を予め設定された演算条件で算出する。
【００４８】
ステップＳ６において、上記ステップＳ３〜Ｓ５で得られた衝突速度、衝突エネルギー付加時間及びキャビティ分割面の形状指数に基いて、各ブローノズル９毎に摩耗指数を予め設定された演算条件で算出する。ステップＳ７において、全ブローノズル９について摩耗指数が基準値以下であるか否かを判定する。全ブローノズル９についてキャビティ分割面の摩耗指数が基準値以下であるときはステップＳ８に進んで、その判定結果をディスプレイ２２に表示するとともに、金型設計データに織り込む。摩耗指数が基準値を超えるキャビティ分割面があるときはステップＳ９に進んで、その判定結果をディスプレイ２２に表示するとともに、ブローノズル９の設定に関して、予めキャビティ分割面の形状の種別、及び／又は摩耗係数と基準値との差の大きさに対応して設定された処理方式で、ブローノズル９の位置の変更、ノズル孔径の拡大及びブローノズル９の追加のうちの少なくとも一つの変更を行なってデータを書き換え、ステップＳ１に戻る。
【００４９】
[キャビティ面１２の分割（ステップＳ２）]
各ブローノズル９がキャビティ５において担当する鋳砂充填領域を決定し、該充填領域毎にキャビティ面１２を分割する。具体的には、充填領域はノズル孔径に応じた吐出量の鋳砂３によってブローノズル９のノズル孔中心と同心の円柱状に形成されると仮定してその充填領域毎にキャビティ面１２を分割する。隣接するブローノズル９同士で充填領域がオーバーラップする領域は、その隣接するブローノズル９のノズル孔中心を結ぶ直線と直交する線分で二分するように区分けする（図１４参照）。
【００５０】
[鋳砂衝突速度（ステップＳ３）]
キャビティ５に鋳砂３を充填するための各ブローノズル９からの鋳砂３の吐出はブローヘッド４の鋳砂加圧時間Ｔｐ（例えば、０．２秒）で完了するという条件下に、各ブローノズル９が担当する充填領域の体積Ｖｒとノズル孔径Ｄとに基いて各キャビティ分割面に対する鋳砂３の衝突速度Ｕを算出する。
【００５１】
Ｕ＝Ｖｒ／(π×(Ｄ／２)２×Ｔｐ)
[衝突エネルギー付加時間（ステップＳ４）]
衝突エネルギーの付加時間は次の下体積から見積もる。下体積は、ブローノズル９の担当充填領域における鋳砂３が衝突する当該衝突部位よりも下側の領域の体積である。
【００５２】
図６に示すように、キャビティ分割面に鋳砂３が衝突するエッジ３１が含まれているケースでは、鋳砂３は、エッジ３１より横に広がった上面３２と、エッジ３１より下方に延びる面３３と、その下側の下面３４に衝突する。下面３４に関しては、鋳砂３の充填当初は鋳砂３が衝突するが、この下面３４が全面にわたって鋳砂３で覆われると、その後はその上に鋳砂３が貯まっていくだけである。従って、下面３４に対して鋳砂３の衝突エネルギーが直接付加される時間は短く、摩耗はほとんど生じない。下方に延びる面３２も傾斜が急であるから摩耗はほとんど生じない。これに対して、上面３２に衝突した鋳砂３の一部は下面３４側に落ちていくから、下面３４側の鋳砂３の高さが上面３２と同じ高さになるまでは、上面３２に比較的大きな衝突エネルギーが加わる状態が続く。そこで、図６のケースでは、上面３２を鋳砂３の衝突面とし、図７に示すように、上面３２よりも下方にある下面３４側の充填領域の体積を下体積Ｖｕとする。
【００５３】
従って、上記下体積Ｖｕ、当該ブローノズル９による鋳砂３の充填時間Ｔｐ（鋳砂加圧時間）、及び当該ブローノズル９による鋳砂３の充填領域体積Ｖｒによって、上面３２に対する衝突エネルギーの付加時間ＴａはＴａ＝Ｔｐ×Ｖｕ／Ｖｒと与えることができる。なお、鋳砂３はブローノズル９から広がりながら吐出されるから所定の広がり角を与える。
【００５４】
図８に示すように、鋳砂３が斜面３６に衝突するケースでは、斜面３６における鋳砂３が衝突する部分の上端より下側の充填領域を下体積Ｖｕとして、当該上端に対する衝突エネルギーの付加時間Ｔａを算出する。
【００５５】
[形状係数（ステップＳ５）]
図９は鋳砂３の衝突角度θと摩耗量との関係を調べるテスト装置のモデル図である。平板状の試験片４１がブローノズル９の鋳砂吐出方向に対して垂直になった状態、すなわち、鋳砂３を平面で受ける状態を衝突角度θ＝0とし、その衝突角度θによって試験片４１の摩耗量がどのように異なるかを調べた。結果を図１０に示す。Ｘ＝sinθ＝0〜0.45では衝突角度θが増大するにつれて摩耗量が緩やかに増大し、Ｘ＝0.45付近から衝突角度θの増大に伴う摩耗量の増大が急になってＸ＝0.80で摩耗量がピークになり、その後は衝突角度θの増大に伴って摩耗量が比較的急に減少している。また、実機の下型７のキャビティ面１２の摩耗状態を調べると、エッジ部では斜面よりも摩耗が甚だしい。
【００５６】
上記テスト結果及び実機調査を踏まえて、キャビティ面１２の摩耗の生じ易さに関する形状指数を次のように設定した。ただし、Ｘ＝sinθである。
【００５７】
・鋳砂３が衝突する部分にエッジが含まれる場合
形状係数＝900
・Ｘ≧0.80
形状係数＝450
・0.80＞Ｘ≧0.45
形状係数＝−42089×Ｘ４＋99652×Ｘ３−84953×Ｘ２＋31309×Ｘ−4000
（Ｒ２＝0.997の相関式)
・0.45＞Ｘ≧0.00
形状係数＝128.57×Ｘ２＋10.571×Ｘ＋200.17（Ｒ２＝0.999の相関式)。
【００５８】
図１０の基礎実験データではＸが0.80を超えると、摩耗量が減少しているが、Ｘ≧0.80においては、基礎実験データと実機調査結果とが必ずしも対応していなかった。そして、Ｘ≧0.80では、Ｘ＝0.80時点の形状係数450で摩耗指数を見積もったときに実機調査結果との対応が良好であった。そこで、Ｘ≧0.80では、形状係数＝450とした。なお、上記形状係数の数値は一例である。
【００５９】
キャビティ分割面に凸部があるとき、その凸部周縁の角部がエッジに相当するか斜面に相当するかは、その角部の曲率半径が所定値以下か否かで決定する。キャビティ分割面が曲面になっているときは、その曲面をノズル孔中心線と当該曲面との交点における接平面とみなして形状係数を設定する。
【００６０】
[ブローノズルの位置等の変更（ステップＳ９）]
図６に示すように、摩耗指数が基準値を超えるキャビティ分割面がエッジ３１を含むときは、当該分割面に係るブローノズル９の位置をそのノズル孔中心がエッジ３１から離れる方向（上面３２側）に所定量ずらす。これにより、図１１に示すように下体積Ｖｕが小さくなって摩耗係数が低下し、或いは図１２に示すように鋳砂３の衝突面が平面になる。
【００６１】
図８に示すように、摩耗指数が基準値を超えるキャビティ分割面が斜面３６であるときは、図１３に示すように、ブローノズル９のノズル孔径を拡大する。これにより、鋳砂衝突速度Ｕが低下し、摩耗係数が小さくなる。
【００６２】
摩耗指数と基準値との差が所定値を超えるときは、上記ブローノズル９の位置の変更又はノズル孔径の拡大と共に、ブローノズル配置に関して余裕がある場所にブローノズル９の追加を行なう。
【００６３】
[実施例]
図１４は当初設定されたブローノズルＢ１〜Ｂ８のキャビティ面１２での配置及び各ブローノズルに対応するキャビティ面１２の分割状態を示す。上記予測手法によるブローノズルＢ１〜Ｂ８のノズル孔径、下体積、分割面の面形状、形状指数、摩耗指数は表１に示すとおりであった。キャビティの体積は約２６０００００ｃｍ３であり、鋳砂３の充填時間は０．２秒である。なお、表１の面形状に関し、斜面の角度は「度（゜）」で表した。
【００６４】
【表１】
2014144478.tif 000003
【００６５】
基準値を５０とすると、Ｂ１〜Ｂ３及びＢ６〜Ｂ８に関しては摩耗指数が基準値を超える結果になっている。
【００６６】
図１５は上記予測手法に基いてブローノズル設定変更を行なったときのキャビティ面１２でのブローノズル配置及びキャビティ面１２の分割状態を示す。ブローノズルの位置変更、ノズル孔径の拡大、ブローノズルの追加を行なっている。ブローノズルＢ１〜Ｂ１５のノズル孔径、下体積、分割面の面形状、形状指数、摩耗指数は表２に示すとおりであった。鋳砂３の充填時間は同じく０．２秒である。
【００６７】
【表２】
2014144478.tif 000004
【００６８】
[予測の高精度化]
ところで、各ブローノズル９から吐出する鋳砂３の速度は必ずしも同じではないことが知られている。本発明者が、キャビティを構成する金型を座標系上にモデル化した型モデル中のキャビティに鋳砂３が充填されていく様子を順次算出する充填解析（シミュレーション）を行なった結果（鋳砂３の速度）の一例を図１６に示す。この解析結果によれば、当該２つのブローノズルから吐出される鋳砂３の速度は大きく異なる。従って、このような充填解析で得られる鋳砂速度を上記摩耗予測手法に組み込めば、その摩耗予測結果の信頼度がさらに高くなる。
【００６９】
[その他]
上述の如く、本発明によれば、キャビティ面各部について信頼度の高い摩耗予測を行なうことができる。よって、当該摩耗予測をブローノズル９の設定変更の契機とすることができ、或いは、ブローノズル９の設定変更では摩耗指数が基準値を超えることを避けることが難しいことが判明したときは、当該摩耗予測を、局部摩耗の抑制のためにキャビティ面（鋳造品）の設計変更など他の対策をとる契機とすることができる。
【符号の説明】
【００７０】
１    鋳型造型装置
２    鋳型造型用金型
３    鋳砂
４    ブローヘッド
５    キャビティ
６    上型
７    下型
９    ブローノズル
１２    キャビティ面
１３    局部的摩耗部
１４    鋳型
１５    鋳造品
１６    欠肉部
２１    ＣＰＵ（判定手段，演算手段）
２２    ディスプレイ（表示手段）
２３    キーボード（入力手段）
２５    ＲＡＭ（データ格納手段）
３１    エッジ
３６    斜面
【図１】
2014144478.tif 000005
【図２】
2014144478.tif 000006
【図３】
2014144478.tif 000007
【図４】
2014144478.tif 000008
【図５】
2014144478.tif 000009
【図６】
2014144478.tif 000010
【図７】
2014144478.tif 000011
【図８】
2014144478.tif 000012
【図９】
2014144478.tif 000013
【図１０】
2014144478.tif 000014
【図１１】
2014144478.tif 000015
【図１２】
2014144478.tif 000016
【図１３】
2014144478.tif 000017
【図１４】
2014144478.tif 000018
【図１５】
2014144478.tif 000019
【図１６】
2014144478.tif 000020